(57)【要約】【課題】  本発明は、ヘッドセットチューブのチューブ、あるいはマウスに芳香機能を備えることによって肉体的および精神的にリフレッシュできる酸素濃縮機用ヘッドセットチューブを提供することを目的とするものである。【解決手段】  本発明は、芳香発生部１０は、酸素濃縮機１の酸素放出口５に連通状に接続されるチューブ９の中途部に、メッシュ状の酸素流入管１１を内包するように芳香剤収納部１２が形成されるものである。【選択図】        図３
2005185586.tif 000002
【特許請求の範囲】
【請求項１】
酸素濃縮機の酸素放出口に着脱自在とされるヘッドセットチューブにおいて、
該ヘッドセットチューブのチューブの中途に該チューブが接続自在とされるメッシュ状の酸素流入管の周囲に芳香剤収納部が形成される芳香発生部を備える
ことを特徴とする酸素濃縮機用ヘッドセットチューブ。
【請求項２】
前記芳香剤収納部が開閉自在とされる
ことを特徴とする請求項１記載の酸素濃縮機用ヘッドセットチューブ。
【請求項３】
酸素濃縮機の酸素放出口に着脱自在とされるヘッドセットチューブにおいて、
該ヘッドセットチューブのチューブの中途に該チューブが接続自在とされる酸素通気穴が貫設されるヒノキより形成される芳香発生部を備える
ことを特徴とする酸素濃縮機用ヘッドセットチューブ。
【請求項４】
酸素濃縮機の酸素放出口に着脱自在とされるヘッドセットチューブにおいて、
該ヘッドセットチューブのマウスがメッシュ状芳香剤収納部により形成される
ことを特徴とする酸素濃縮機用ヘッドセットチューブ。
【請求項５】
酸素濃縮機の酸素放出口に着脱自在とされるヘッドセットチューブにおいて、
該ヘッドセットチューブのマウスがヒノキにより形成される
ことを特徴とする酸素濃縮機用ヘッドセットチューブ。
【発明の詳細な説明】
【技術分野】
【０００１】
本発明は、酸素濃縮機用ヘッドセットチューブに関する。詳しくは酸素濃縮機により供給される酸素に香りを付加することができる酸素濃縮機用ヘッドセットチューブに係るものである。
【背景技術】
【０００２】
低酸素症の対策として、ほぼ純粋な酸素を補助的に吸入することに対する価値が広く認識されるようになってきた。この純粋な酸素や高濃度の酸素を含む空気の吸入の手段としては、単純な酸素ボンベを酸素の供給源として供給する手段や酸素濃縮機によって高濃度の酸素を供給する手段がある。
【０００３】
この酸素濃縮機として図７に示すように、酸素濃縮装置を収納するハウジング１０１と、酸素放出口１０２への流量を調節するためのコントロールバルブと、コントロールバルブを制御するコントローラと、磁気カード・スワイプカード・スマートカードなどのカード読取装置１０３または硬貨・紙幣・トークンなどの読取装置とを備え、これらの磁気カードや硬貨などの情報に基づき使用者への酸素供給量を制御する構成とするものである（例えば、特許文献１参照。）。
【０００４】
【特許文献１】特開２０００−３５３２７９号（要約書、００１４、第１図）
【発明の開示】
【発明が解決しようとする課題】
【０００５】
前記構成の酸素濃縮装置から放出される酸素は、酸素濃縮装置に設けられる酸素放出口に取り付けられるヘッドセットチューブを介して使用者は酸素の供給を受けるものである。
そこで図８に示すように、例えば酸素放出口に取り付けられるヘッドセットチューブ１０４はマウス１０５が設けられるヘッドセット１０６と、このヘッドセットと酸素放出口との間を連通状に接続するチューブ１０７とから構成されるものである。
【０００６】
しかしながら酸素自体は無臭であり、長時間使用する場合にはマウスなどの臭いが鼻に付く場合や、湿気により不快感を与えるなどの問題がある。また、高濃度の酸素の吸入により、集中力の回復や心身のリフレシュ効果が考えられるが、単に無臭の酸素を吸入する状況においては、精神的な負担がかかるなどの問題がある。
【０００７】
本発明は、以上の点に鑑みて創案されたものであって、ヘッドセットチューブのチューブ、あるいはマウスに芳香機能を備えることによって肉体的および精神的にリフレッシュできる酸素濃縮機用ヘッドセットチューブを提供することを目的とするものである。
【課題を解決するための手段】
【０００８】
上記の目的を達成するために、本発明に係る酸素濃縮機用ヘッドセットチューブは、酸素濃縮機の酸素放出口に着脱自在とされるヘッドセットチューブにおいて、該ヘッドセットチューブのチューブの中途に該チューブが接続自在とされるメッシュ状の酸素流入管の周囲に芳香剤収納部が形成される芳香発生部を備える。
【０００９】
ここで、ヘッドセットチューブのチューブの中途に芳香発生部を設けることによって、高濃度酸素がメッシュ状の酸素流入管を通る際に、芳香剤収納部内に収納される芳香剤からの香りが吸引され、爽快感、清涼感のある酸素の供給が可能となる。
【００１０】
また、上記の目的を達成するために、本発明に係る酸素濃縮機用ヘッドセットチューブは、酸素濃縮機の酸素放出口に着脱自在とされるヘッドセットチューブにおいて、該ヘッドセットチューブのチューブの中途に該チューブが接続自在とされる酸素通気穴が貫設されるヒノキより形成される芳香発生部を備える。
【００１１】
ここで、芳香発生部を酸素流入管が貫設されるヒノキにより形成することにより、酸素流入管を通る酸素は、ヒノキ特有の抗菌、消臭性を有する森林の香りを含んだ酸素の供給が可能となる。
【００１２】
また、上記の目的を達成するために、本発明に係る酸素濃縮機用ヘッドセットチューブは、酸素濃縮機の酸素放出口に着脱自在とされるヘッドセットチューブにおいて、該ヘッドセットチューブのマウスがメッシュ状芳香剤収納部により形成される。
【００１３】
ここで、ヘッドセットに設けられるマウスをメッシュ状芳香剤収納部により形成することにより、メッシュ状芳香剤収納部内に収納される芳香剤からの香りと共に、酸素がマウスより供給されることとなる。
【００１４】
また、上記の目的を達成するために、本発明に係る酸素濃縮機用ヘッドセットチューブは、酸素濃縮機の酸素放出口に着脱自在とされるヘッドセットチューブにおいて、該ヘッドセットチューブのマウスがヒノキにより形成される。
【００１５】
ここで、ヘッドセットに設けられるマウスをヒノキにより形成することにより、ヒノキ特有の抗菌、消臭性を有する森林の香りと共に、酸素がマウスより供給されることとなる。
【発明の効果】
【００１６】
以上の構成よりなる本発明では、ヘッドセットチューブのチューブの中途、あるいはマウスに芳香発生部を設けることによって、爽快な香りの付いた酸素を供給することができ、心理的および生理的効果を得ることが可能となる。
【００１７】
また、芳香剤を自在に取り替えられる構成とすることによって、季節や環境に応じて使用者は好みの芳香剤を選択することができる。
【００１８】
更に、芳香発生部自体をヒノキにより形成することにより、ヒノキ特有の森林の香りと抗菌・消臭効果を得ることが可能となる。
【発明を実施するための最良の形態】
【００１９】
以下、本発明の実施の形態を図面を参酌しながら説明し、本発明の理解に供する。
図１に、本発明を適用した酸素濃縮機用ヘッドセットチューブの酸素濃縮機の一例を示すための概要説明図、図２に本発明を適用した酸素濃縮機用ヘッドセットチューブの一例を示すための斜視図、図３に本発明を適用した酸素濃縮機用ヘッドセットチューブに設けられる芳香発生部の一例を示すための断面説明図である。
【００２０】
ここで示す酸素濃縮機１は、真空ポンプ２により吸気口３から取り入れた部屋の空気（酸素濃度約２１％）を、酸素富化膜４の働きで約３０％の高濃度酸素にして酸素放出口５より放出される。この酸素富化膜４は、分子が膜に溶ける速度の差を利用して、気体を分離するものであり、空気の含まれる窒素や炭酸ガスなどの酸素以外の気体成分および細菌・花粉などが分離されて高濃度酸素を作り出す機構とされるものである。
【００２１】
なお、酸素濃縮機は必ずしも前述した機構とされる必要性は無く、空気を取り込んで高濃度の酸素を放出するものであればいかなる機構のものであっても良い、また酸素濃度は酸素濃縮機の機能によって異なるものであり、３０％に限定されるものではない。
【００２２】
次に、ヘッドセットチューブ６は、マウス７が設けられるヘッドセット８と、マウス７に高濃度酸素を供給するチューブ９から構成されるものである。そこで芳香発生部１０は、酸素濃縮機１の酸素放出口５に連通状に接続されるチューブ９の中途部に、メッシュ状の酸素流入管１１を内包するように芳香剤収納部１２が形成されるものである。
【００２３】
この芳香剤収納部１２は、ネジ式、あるいはキャップ式により自在に分割することができ、各種の芳香剤１３を酸素流入管１１周囲に充填する構成とするものである。また、酸素流入管１１の両端口に、チューブ９がジャック式などによって差し込む接続できる機構とすることによってチューブ９の中途部に芳香発生部１０を容易に取り付けることができる構成とする。
【００２４】
また、図４に本発明を適用した酸素濃縮機用ヘッドセットチューブに設けられる芳香発生部の他の例を示すための断面説明図である。
芳香発生部１０は、酸素通気穴１５が穿孔されたヒノキより形成されるものである。そこで酸素通気穴１４の両端口に、チューブ９がジャック式などによって差し込む接続できる機構とすることによってチューブ９の中途部に芳香発生部１０を容易に取り付けることができる構成とする。
【００２５】
また、図５に本発明を適用した酸素濃縮機用ヘッドセットチューブのマウスの一例を示すための断面説明図である。
ここで示すマウス７は、メッシュ状の芳香剤収納部１２Ａにより形成され、この芳香剤収納部１２Ａは、ネジ式、あるいはキャップ式により自在に開閉することができ、各種の芳香剤１３を充填できる構成とするものである。
【００２６】
また、図６に本発明を適用した酸素濃縮機用ヘッドセットチューブのマウスの他の例を示すための断面説明図である。
ここで示すマウス７は、ヒノキより形成されるものであり、その内部に空洞部１５が形成され、この空洞部１５内に高濃度酸素が充満することによってヒノキ特有の芳香が混合される構成とするものである。
【００２７】
以上の構成より成る本発明では図３に示すように、メッシュ状の酸素流入管１１内を通過する高濃度酸素の負圧によって芳香剤収納部１２内に充填される芳香剤１３より発せられる香りがメッシュ状の酸素流入管１１内へ吸い込まれて高濃度酸素と混合され、好みに応じた香りの高濃度酸素の供給が可能となる。
【００２８】
また、図４に示すように、芳香発生部１０をヒノキにより形成することにより、酸素通気穴１４内を通過する高濃度酸素の負圧によってヒノキ特有の木の香りを高濃度酸素と混合することが可能となる。更にヒノキには抗菌・消臭効果も含まれていることからチューブやマウス内の殺菌も同時に行なうことが可能となる。
【００２９】
また、図５に示すように、マウス７を、メッシュ状の芳香剤収納部１２Ａにより形成することにより、芳香剤収納部１２Ａ内に充填される芳香剤１３より発せられる香りがマウス７より放出される高濃度酸素と共に混合され、好みに応じた香りの高濃度酸素の供給が可能となる。
【００３０】
また、図６に示すように、マウス７をヒノキにより形成することにより、空洞部１５内を高濃度酸素が充満することによって前記空洞部内に発生するヒノキ特有の木の香りと混合することが可能となる。更にヒノキには抗菌・消臭効果も含まれていることからマウスの殺菌も同時に行なうことが可能となる。
【図面の簡単な説明】
【００３１】
【図１】本発明を適用した酸素濃縮機用ヘッドセットチューブの酸素濃縮機の一例を示すための概要説明図である。
【図２】本発明を適用した酸素濃縮機用ヘッドセットチューブの一例を示すための斜視図である。
【図３】本発明を適用した酸素濃縮機用ヘッドセットチューブに設けられる芳香発生部の一例を示すための断面説明図である。
【図４】本発明を適用した酸素濃縮機用ヘッドセットチューブに設けられる芳香発生部の他の例を示すための断面説明図である。
【図５】本発明を適用した酸素濃縮機用ヘッドセットチューブのマウスの一例を示すための断面説明図である。
【図６】本発明を適用した酸素濃縮機用ヘッドセットチューブのマウスの他の例を示すための断面説明図である。
【図７】従来の酸素濃縮機の一例を示す説明図である。
【図８】従来のヘッドセットチューブの一例を示す説明図である。
【符号の説明】
【００３２】
１      酸素濃縮機
２      真空ポンプ
３      吸気口
４      酸素富化膜
５      酸素放出口
６      ヘッドセットチューブ
７      マウス
８      ヘッドセット
９      チューブ
１０    芳香発生部
１１    酸素流入管
１２、１２Ａ    芳香剤収納部
１３    芳香剤
１４    酸素通気穴
１５    空洞部
【図１】
2005185586.tif 000003
【図２】
2005185586.tif 000004
【図３】
2005185586.tif 000005
【図４】
2005185586.tif 000006
【図５】
2005185586.tif 000007
【図６】
2005185586.tif 000008
【図７】
2005185586.tif 000009
【図８】
2005185586.tif 000010